(57)【特許請求の範囲】
【請求項１】
互いに表示方法の異なる複数のスペクトルアナライザ表示画面の１つを選択し、その選択したスペクトルアナライザ表示画面によりオーディオ信号をスペクトルアナライザ表示する表示回路において、
表示素子と、
アイコンを選択する選択手段と、
この選択手段の選択結果を決定する決定手段と
を有し、
上記表示素子に、上記複数のスペクトルアナライザ表示画面のそれぞれを縮小したアイコンを表示するとともに、
上記選択手段により、上記アイコンの１つを選択したときには、その選択したアイコンを、これが対応している上記スペクトルアナライザ表示画面と同様の動画表示とし、
上記決定手段により、決定の操作が行われたとき、上記動画表示のアイコンが対応しているスペクトルアナライザ表示画面により上記オーディオ信号をスペクトルアナライザ表示する
ようにした表示回路。
【発明の詳細な説明】
【０００１】
【発明の属する技術分野】
この発明は表示回路に関する。
【０００２】
【従来の技術】
オーディオ機器とビデオ機器とが融合されたＡＶ機器において、購入時の初期設定を行うとき、その設定状態や調整状態をディスプレイに表示するようにした機種がある。
【０００３】
図１０は、オーディオ信号をスペクトルアナライザ表示するとき、その表示方法が複数あるので、その表示方法を選択・決定するときの画面の一例を示す。すなわち、図１０Ａにおいては、ＡＶ機器をスペクトルアナライザ表示の表示方法の設定モードにすると、ＬＣＤのような表示素子ＤＳＰ  に、第１〜第４の表示方法を示す数字「１」〜「４」が表示される。
【０００４】
そこで、その数字のうち、数字「１」を指定すると、図１１Ａに示すように、画面は横軸が周波数で、縦軸がレベルとされ、オーディオ信号の周波数スペクトル成分が棒グラフ式に表示されるとともに、この表示が比較的短い周期で更新される。したがって、オーディオ信号の周波数スペクトル成分が棒グラフにより動画表示される。
【０００５】
また、図１０Ａの数字「２」を指定すると、図１１Ｂに示すように、画面は縦軸が周波数で、横軸がレベルとされ、画面の左側および右側に、左および右チャンネルのオーディオ信号の周波数スペクトル成分が棒グラフ式に動画表示される。さらに、図１０Ａの数字「３」あるいは「４」を指定したときも、同様に、他の表示形態で周波数スペクトル成分が棒グラフにより動画表示される。
【０００６】
一方、図１０Ｂにおいては、ＡＶ機器を表示方法の設定モードにすると、表示素子ＤＳＰ  に、表示イメージを示すアイコンが表示される。そこで、そのアイコンのうち、左上のアイコンを指定すると、図１１Ａに示すように、オーディオ信号の周波数スペクトル成分が棒グラフにより動画表示される。
【０００７】
また、図１０Ｂの右上のアイコンを指定すると、図１１Ｂに示すように、左および右のオーディオ信号の周波数スペクトル成分が棒グラフ式に動画表示される。さらに、図１０Ｂの左下あるいは右下のアイコンを指定したときも、同様に、そのアイコンが提示している表示形態で周波数スペクトル成分が棒グラフにより動画表示される。
【０００８】
こうして、図１０の設定画面によれば、オーディオ信号をスペクトルアナライザ表示するときの表示方法を、ユーザが自分の好みにしたがって、任意に選択して決定することができる。
【０００９】
【発明が解決しようとする課題】
ところが、図１０Ａの場合のように、数字により表示画面を選択する場合には、選択して決定するまで、どのような画面が表示されるかまったくわからない。
【００１０】
また、図１０Ｂの場合のように、表示イメージのアイコンから表示画面を選択して決定する場合には、アイコンを選択しなくても、アイコンにより表示されるおよその画面はわかるが、グラフがどのように動くかは、選択して決定するまでわからない。
【００１１】
この発明は、以上のような問題点を解決しようとするものである。
【００１２】
【課題を解決するための手段】
このため、この発明においては、
互いに表示方法の異なる複数のスペクトルアナライザ表示画面の１つを選択し、その選択したスペクトルアナライザ表示画面によりオーディオ信号をスペクトルアナライザ表示する表示回路において、
表示素子と、
アイコンを選択する選択手段と、
この選択手段の選択結果を決定する決定手段と
を有し、
上記表示素子に、上記複数のスペクトルアナライザ表示画面のそれぞれを縮小したアイコンを表示するとともに、
上記選択手段により、上記アイコンの１つを選択したときには、その選択したアイコンを、これが対応している上記スペクトルアナライザ表示画面と同様の動画表示とし、
上記決定手段により、決定の操作が行われたとき、上記動画表示のアイコンが対応しているスペクトルアナライザ表示画面により上記オーディオ信号をスペクトルアナライザ表示する
ようにした表示回路
とするものである。
したがって、アイコンにより選択結果の画面の表示状態が知らされる。
【００１３】
【発明の実施の形態】
図１は、この発明を、ユニット式のカーオーディオシステムに適用した場合である。そして、図１において、符号１０、２０、３０、４０は、各種のスレーブ側のユニット、符号５０はマスタ制御用のユニットを示し、これらユニット１０〜５０はシステムバス９０を通じて相互に接続されている。
【００１４】
この場合、システムバス９０は、各ユニットに動作電圧を供給するための電源ライン９０Ｐと、ビデオ信号のアクセスされるビデオ信号ライン９０Ｖと、オーディオ信号のアクセスされるオーディオ信号ライン９０Ａと、マイクロコンピュータのデータ、アドレスおよび制御信号のアクセスされるコンピュータライン９０Ｄとを有する。
【００１５】
そして、ユニット１０はＦＭ文字多重放送の受信ユニットであり、これは、シンセサイザ方式に構成されてＦＭ放送の受信を行う受信回路１１と、その制御用のマイクロコンピュータ１２とを有する。そして、ＦＭ文字多重放送の受信時には、受信回路１１から、その放送によるオーディオ信号と、文字番組の文字データとが取り出される。また、受信回路１１の選局などの処理はマイクロコンピュータ１２により制御される。
【００１６】
このため、システムバス９０の電源ライン９０Ｐを通じて受信ユニット１０に動作電圧が供給されるとともに、受信回路１１が信号ライン９０Ｐ、９０Ｄに接続され、マイクロコンピュータ１２が信号ライン９０Ｄに接続される。
【００１７】
また、ユニット２０はテレビ放送の受信ユニットであり、これは、シンセサイザ方式に構成されてテレビ放送の受信を行う受信回路２１と、その制御用のマイクロコンピュータ２２とを有する。そして、テレビ放送の受信時には、受信回路２１から、そのテレビ放送によるビデオ信号およびオーディオ信号が取り出される。また、受信回路２１の選局などの処理はマイクロコンピュータ２２により制御される。
【００１８】
このため、システムバス９０の電源ライン９０Ｐを通じて受信ユニット２０に動作電圧が供給されるとともに、受信回路２１が信号ライン９０Ｖ、９０Ａに接続され、マイクロコンピュータ２２が信号ライン９０Ｄに接続される。
【００１９】
さらに、ユニット３０はＣＤプレーヤのユニットであり、このプレーヤユニット３０はＣＤの再生回路（および再生機構）３１と、マイクロコンピュータ３２とを有する。そして、再生回路３１がマイクロコンピュータ３２により制御されてＣＤの再生が実行され、再生モードのときには、そのオーディオ信号が取り出される。
【００２０】
そして、システムバス９０の電源ライン９０Ｐを通じてプレーヤユニット３０に動作電圧が供給されるとともに、再生回路３１が信号ライン９０Ｖに接続され、マイクロコンピュータ３２が信号ライン９０Ｄに接続される。
【００２１】
また、ユニット４０はプリメインアンプのユニットである。このアンプユニット４０は、信号回路４１と、その制御用のマイクロコンピュータ４２とを有する。この場合、信号回路４０は、これに供給されたオーディオ信号をＡ／Ｄ変換したのち、そのオーディオ信号をチャンネルごとに例えば７つ周波数帯域に分割してトーンコントロール、イコライジング、音量調整などの処理を行い、その処理された信号をＤ／Ａ変換したのち、電力増幅を行うものである。なお、このようなデジタル処理（Ａ／Ｄ変換およびＤ／Ａ変換を除く）は、ＤＳＰにより行うことができる。
【００２２】
そして、信号回路４１の入力端がシステムバス９０の信号ライン９０Ａに接続されるとともに、その出力端が自動車に搭載された左および右チャンネルのスピーカ４Ｌ、４Ｒに接続される。
【００２３】
さらに、アンプユニット４０は電源回路４３も有し、その出力電圧がユニット４０自身に供給されるとともに、システムバス９０の電源ライン９０Ｐを通じて各ユニット１０〜３０、５０にそれらの動作電圧として供給される。
【００２４】
さらに、ユニット５０は、ユニット１０〜４０を制御するマスタユニットであるとともに、キー入力および画像の表示を行うためのユニットでもある。このため、マスタユニット５０は、表示回路５１と、その制御用のマイクロコンピュータ５２と、マスタ制御用のマイクロコンピュータ５３とを有する。
【００２５】
そして、表示回路５１はシステムバス９０の信号ライン９０Ｖ、９０Ｄに接続されるとともに、表示素子としてカラーＬＣＤ５４が接続される。この場合、ＬＣＤ５４は、ドットの組み合わせにより文字などをカラー表示するフルドットマトリックス方式とされ、例えば図２に示すように、その表示領域は、テレビ放送に対応して横３２０  ドット×縦２３４  ドットの大きさとされている。
【００２６】
また、マイクロコンピュータ５３には、各種の操作キー５５が接続されるとともに、システムバス９０の信号ライン９０Ｄに接続される。なお、操作キー５５には、上方向のカーソルキー５５Ｕ、下方向のカーソルキー５５Ｄ、左方向のカーソルキー５５Ｌ、右方向のカーソルキー５５Ｒなどが含まれる。
【００２７】
さらに、図示はしないが、ナビゲーション用のユニットやカセットテープデッキのユニットなどを使用する場合には、それらのユニットがユニット１０〜３０と同様にシステムバス９０に接続される。
【００２８】
このような構成において、例えば、キー５５を操作してＦＭ放送の受信を選択した場合には、マイクロコンピュータ５３から信号ライン９０Ｄを通じてマイクロコンピュータ１２に、受信ユニット１０を有効とするコマンドが供給され、この結果、受信回路１１からオーディオ信号が出力され、このオーディオ信号が信号ライン９０Ａを通じてユニット４０の信号回路４１に供給される。したがって、スピーカ４Ｌ、４Ｒからは、ＦＭ放送の音声が出力される。
【００２９】
なお、このとき、キー５５の操作に対応したコマンドがマイクロコンピュータ５３から信号ライン９０Ｄを通じてマイクロコンピュータ４２に供給されて信号回路４１の特性が制御され、トーンコントロールや音量などが制御される。
【００３０】
また、キー５５により選局の操作をしたときには、マイクロコンピュータ５３から信号ライン９０Ｄを通じてマイクロコンピュータ１２に所定のコマンドが供給され、この結果、マイクロコンピュータ１２により受信回路１１が制御されて目的とする周波数の放送局が選局される。
【００３１】
さらに、ＦＭ文字多重放送の受信時には、受信回路１１から文字データが出力され、この文字データが信号ライン９０Ｄを通じて表示回路５１に供給される。そこで、キー５５により文字番組を選択するキー操作をすると、ＬＣＤ５４にその文字番組が表示される。
【００３２】
あるいは、テレビ放送の受信を選択した場合には、マイクロコンピュータ５３から信号ライン９０Ｄを通じてマイクロコンピュータ２２に、受信ユニット２０を有効とするコマンドが供給され、この結果、受信回路２１からビデオ信号およびオーディオ信号が出力される。そして、そのビデオ信号が信号ライン９０Ｖを通じて表示回路５１に供給され、ＬＣＤ５４にテレビ放送の画像が表示される。また、受信回路２１からのオーディオ信号が信号ライン９０Ａを通じて信号回路４１に供給され、スピーカ４Ｌ、４Ｒからはテレビ放送の音声が出力される。
【００３３】
そして、この場合、特にこの発明においては、オーディオ信号のスペクトルアナライザ表示方法を選択・決定するときの選択画面を、例えば図２〜図５に示すようなものとする。
【００３４】
すなわち、今、図１の装置において、オーディオ信号をスペクトルアナライザ表示するときの表示方法が、図６〜図９の４種類であるとする。ここで、図６の表示方法においては、横軸が周波数で、縦軸がレベルとされ、モノラルのオーディオ信号の周波数スペクトル成分が棒グラフ式に表示されるとともに、この表示が比較的短い周期で更新される。したがって、棒グラフの棒の長さは、周波数スペクトル成分のレベルにしたがって実線および破線で示すように変化する。
【００３５】
また、図７の表示方法においては、縦軸が周波数で、横軸がレベルとされ、その縦軸の左側および右側に、左および右チャンネルのオーディオ信号の周波数スペクトル成分が棒グラフ式に表示されるとともに、この表示が比較的短い周期で更新される。したがって、棒グラフの棒の長さは、周波数スペクトル成分のレベルにしたがって実線および破線で示すように変化する。
【００３６】
さらに、図８の表示方法においては、横軸が周波数で、縦軸がレベルとされ、その横軸の上側および下側に、左および右のオーディオ信号の周波数スペクトル成分が棒グラフ式に表示されるとともに、この表示が比較的短い周期で更新される。また、図９の表示方法においては、画面が左右に２分割されるとともに、それぞれの画面において、横軸が周波数で、縦軸がレベルとされる。そして、左および右チャンネルのオーディオ信号の周波数スペクトル成分が棒グラフ式に表示されるとともに、この表示が比較的短い周期で更新される。そして、これらの表示方法においても、棒グラフの棒の長さは、周波数スペクトル成分のレベルにしたがって実線および破線で示すように変化する。
【００３７】
なお、どの表示方法においても、マイクロコンピュータ５３が、信号回路４１において帯域分割されたデジタルオーディオデータのレベルを判別し、この判別結果をマイクロコンピュータ５２に通知すると、これが表示データに変換されて表示回路５１に供給され、上記のような表示が行われるものである。
【００３８】
そして、キー５５を操作してオーディオ信号のスペクトルアナライザ表示方法の選択モードにすると、例えば図２に示すように、図６〜図９の表示画面を縮小したアイコン６Ａ〜６Ｄが２行２列に表示される。また、この選択画面の表示状態にした直後はデフォルトでアイコン６Ａが選択されている。
【００３９】
そして、このとき、選択されたアイコン６Ａにおいては、このアイコン６Ａの対応する図６の表示方法と同様、横軸が周波数で、縦軸がレベルとされ、モノラルのオーディオ信号の周波数スペクトル成分が棒グラフ式に表示されるとともに、この表示が比較的短い周期で更新される。したがって、棒グラフの棒の長さは、周波数スペクトル成分のレベルにしたがって実線および破線で示すように変化する。なお、このとき、他のアイコン６Ｂ〜６Ｄにおいては、棒の長さは変化しない。
【００４０】
そして、図２の選択画面が表示されたとき、カーソルキー５４Ｕ〜５４Ｒのうちの例えば右方向のカーソルキー５４Ｒを押すと、それまで選択されていたアイコン６Ａの右側のアイコン６Ｂが選択される。そして、図３に示すように、この選択されたアイコン６Ｂにおいては、このアイコン６Ｂの対応する図７の表示方法と同様、縦軸が周波数で、横軸がレベルとされ、その縦軸の左側および右側に、左および右のオーディオ信号の周波数スペクトル成分が棒グラフ式に表示されるとともに、この表示が比較的短い周期で更新される。
【００４１】
したがって、棒グラフの棒の長さは、周波数スペクトル成分のレベルにしたがって実線および破線で示すように変化する。なお、このとき、他のアイコン６Ａ、６Ｃ、６Ｄにおいては、棒の長さは変化しない。
【００４２】
また、例えば図２の状態から下方向のカーソルキー５４Ｄを押すと、それまで選択されていたアイコン６Ａの下側のアイコン６Ｃが選択される。そして、図４に示すように、この選択されたアイコン６Ｃにおいては、このアイコン６Ｃの対応する図８の表示方法と同様、横軸が周波数で、縦軸がレベルとされ、その横軸の上側および下側に、左および右のオーディオ信号の周波数スペクトル成分が棒グラフ式に表示されるとともに、この表示が比較的短い周期で更新される。
【００４３】
したがって、棒グラフの棒の長さは、周波数スペクトル成分のレベルにしたがって実線および破線で示すように変化する。なお、このとき、他のアイコン６Ａ、６Ｂ、６Ｄにおいては、棒の長さは変化しない。
【００４４】
さらに、図３の状態から下方向のカーソルキー５５Ｄを押すと、あるいは図４の状態から右方向のカーソルキー５４Ｒを押すと、それまで選択されていたアイコンに代わってアイコン６Ｄが選択される。そして、図５に示すように、この選択されたアイコン６Ｄにおいては、このアイコン６Ｄの対応する図９の表示方法と同様、アイコン６Ｄが左右に２分割されるとともに、それぞれにおいて、横軸が周波数で、縦軸がレベルとされる。そして、左および右のオーディオ信号の周波数スペクトル成分が棒グラフ式に表示されるとともに、この表示が比較的短い周期で更新される。
【００４５】
したがって、棒グラフの棒の長さは、周波数スペクトル成分のレベルにしたがって実線および破線で示すように変化する。なお、このとき、他のアイコン６Ａ〜６Ｃにおいては、棒の長さは変化しない。
【００４６】
こうして、カーソルキー５４Ｕ〜５４Ｒを押すと、その押されたカーソルキーの方向に位置するアイコンが選択される。そして、その選択されたアイコンは、そのアイコンが対応する表示画面と同様、オーディオ信号がスペクトルアナライザ表示される。また、このとき、他のアイコンは静止した状態で表示される。
【００４７】
そして、例えばアイコン６Ａが選択されているとき、キー５５のうちの決定キーを押すと、ＬＣＤ５４には、図６に示すように、アイコン６Ａが対応しているスペクトルアナライザ画面が表示されるとともに、スペクトルアナライザ表示の表示方法が図６の表示方法に決定され、以後、スペクトルアナライザ表示を指示したときには、図６の表示方法でオーディオ信号がスペクトルアナライザ表示される。
【００４８】
すなわち、アイコン６Ａ〜６Ｄのうち、任意のアイコンを選択したのち、決定キーを押すと、以後、オーディオ信号をスペクトルアナライザ表示するときの画面は、その選択されたアイコンが対応している表示方法となる。
【００４９】
こうして、この表示回路によれば、スペクトルアナライザ画面を選択・決定するとき、そのスペクトルアナライザ画面を縮小したアイコンを表示するとともに、選択したアイコンは、目的とするスペクトルアナライザ画面と同様の動画表示としている。
【００５０】
したがって、スペクトルアナライザ画面を選択・決定するとき、選択および決定してから動作を確認する必要がないので、操作が簡潔であるとともに、わかりやすい。また、アイコン自身がスペクトルアナライザ表示を行うので、視覚的に楽しむことができる。
【００５１】
なお、上述において、オーディオ信号が無信号状態のときには、ランダムデータを発生させてそのときのオーディオ信号の代用とすればよい。また、オーディオ信号のスペクトルアナライザ表示を指示するごとに、図２〜図４の選択・決定画面を表示し、その表示方法を選択・決定するようにもできる。
【００５２】
【発明の効果】
この発明によれば、スペクトルアナライザ画面を選択・決定するとき、選択および決定してから動作を確認する必要がないので、操作手が簡潔であるとともに、わかりやすい。また、アイコン自身がスペクトルアナライザ表示を行うので、視覚的に楽しむことができる。
【図面の簡単な説明】
【図１】この発明の一形態を示す系統図である。
【図２】この発明を説明するための図である。
【図３】この発明を説明するための図である。
【図４】この発明を説明するための図である。
【図５】この発明を説明するための図である。
【図６】この発明を説明するための図である。
【図７】この発明を説明するための図である。
【図８】この発明を説明するための図である。
【図９】この発明を説明するための図である。
【図１０】この発明を説明するための図である。
【図１１】この発明を説明するための図である。
【符号の説明】
６Ａ〜６Ｄ…アイコン、１０…ＦＭ受信ユニット、１１…受信回路、１２…マイクロコンピュータ、２０…テレビ受信ユニット、２１…受信回路、２２…マイクロコンピュータ、３０…ＣＤプレーヤユニット、３１…再生回路、３２…マイクロコンピュータ、４０…アンプユニット、４１…信号回路、４２…マイクロコンピュータ、４３…電源回路、５０…マスタユニット、５１…表示回路、５２および５３…マイクロコンピュータ、５４…ＬＣＤ、５４Ｃ…カレント表示領域、５４Ｍ…総目次表示領域、５５…操作キー、９０…システムバス
【図１】
0003633751.tif 000002
【図２】
0003633751.tif 000003
【図３】
0003633751.tif 000004
【図４】
0003633751.tif 000005
【図５】
0003633751.tif 000006
【図６】
0003633751.tif 000007
【図７】
0003633751.tif 000008
【図８】
0003633751.tif 000009
【図９】
0003633751.tif 000010
【図１０】
0003633751.tif 000011
【図１１】
0003633751.tif 000012